【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
非極性溶媒を含む有機溶媒と、前記有機溶媒中に分散された無機微粒子とを含有する微粒子分散体において、
下記一般式（１）で表される疎水性ユニット、及び下記一般式（２）で表される側鎖にオキシアルキレンを有する親水性ユニットを含むブロックポリマーと、
Ｃｏ、Ｎｉ、Ｃｕ、及びＺｎからなる群より選択される少なくとも一種の遷移金属とをさらに含有し、
前記ブロックポリマーの質量を基準とする前記遷移金属の含有量が１０〜２００ｐｐｍであることを特徴とする微粒子分散体。
2013203837.tif 000001
（前記一般式（１）中、Ｒ1は水素またはメチル基を示し、Ｒ2はｎ−ブチル基またはベンジル基を示し、ｌは疎水性ユニットの繰り返し単位数を示す）
2013203837.tif 000002
（前記一般式（２）中、Ｒ1は水素またはメチル基を示し、Ｒ3はメチル基またはエチル基を示し、ＥＯはオキシエチレンを示し、ｍは親水性ユニットの繰り返し単位数を示し、ｎは１または２である）
【請求項２】
前記非極性溶媒が、ジエチレングリコールモノメチルエーテルアセテート、ジエチレングリコールモノエチルエーテルアセテート、ジエチレングリコールモノブチルエーテルアセテート、ジプロピレングリコールモノメチルエーテルアセテート、ジプロピレングリコールモノエチルエーテルアセテート、及びジプロピレングリコールモノブチルエーテルアセテートからなる群より選択される少なくとも一種である請求項１に記載の微粒子分散体。
【請求項３】
前記無機微粒子が、酸化物または硫化物である請求項１または２に記載の微粒子分散体。
【請求項４】
前記遷移金属がＣｕである請求項１〜３のいずれか一項に記載の微粒子分散体。
【請求項５】
非極性溶媒を含む有機溶媒と、前記有機溶媒中に分散された無機微粒子とを含有する微粒子分散体の製造方法において、
下記一般式（１）で表される疎水性ユニット、及び下記一般式（２）で表される側鎖にオキシアルキレンを有する親水性ユニットを含むブロックポリマーを良溶媒に溶かしてポリマー溶液を調製する工程（ａ）と、前記ポリマー溶液に前記非極性溶媒を加えた後、濃縮して前記良溶媒を除去することにより、前記ブロックポリマー、及び前記非極性溶媒を含有するポリマー分散液を調製する工程（ｂ）と、前記ポリマー分散液に前記無機微粒子を加えて撹拌する工程（ｃ）と、を含み、
前記ポリマー溶液が、Ｃｏ、Ｎｉ、Ｃｕ、及びＺｎからなる群より選択される少なくとも一種の遷移金属を含有し、
前記ブロックポリマーの質量を基準とする前記遷移金属の含有量が１０〜２００ｐｐｍであることを特徴とする微粒子分散体の製造方法。
2013203837.tif 000003
（前記一般式（１）中、Ｒ1は水素またはメチル基を示し、Ｒ2はｎ−ブチル基またはベンジル基を示し、ｌは疎水性ユニットの繰り返し単位数を示す）
2013203837.tif 000004
（前記一般式（２）中、Ｒ1は水素またはメチル基を示し、Ｒ3はメチル基またはエチル基を示し、ＥＯはオキシエチレンを示し、ｍは親水性ユニットの繰り返し単位数を示し、ｎは１または２である）
【請求項６】
前記非極性溶媒が、ジエチレングリコールモノメチルエーテルアセテート、ジエチレングリコールモノエチルエーテルアセテート、ジエチレングリコールモノブチルエーテルアセテート、ジプロピレングリコールモノメチルエーテルアセテート、ジプロピレングリコールモノエチルエーテルアセテート、及びジプロピレングリコールモノブチルエーテルアセテートからなる群より選択される少なくとも一種である請求項５に記載の微粒子分散体の製造方法。
【請求項７】
前記良溶媒が、エーテル系溶媒、ケトン系溶媒、及びアミド系溶媒からなる群より選択される少なくとも一種である請求項５または６に記載の微粒子分散体の製造方法。
【請求項８】
前記無機微粒子が、酸化物または硫化物である請求項５〜７のいずれか一項に記載の微粒子分散体の製造方法。
【請求項９】
前記遷移金属がＣｕである請求項５〜８のいずれか一項に記載の微粒子分散体の製造方法。
【手続補正２】
【補正対象書類名】明細書
【補正対象項目名】発明の名称
【補正方法】変更
【補正の内容】
【発明の名称】微粒子分散体及びその製造方法
【手続補正３】
【補正対象書類名】明細書
【補正対象項目名】０００１
【補正方法】変更
【補正の内容】
【０００１】
本発明は、分散安定性に優れ、且つ含有する有機物（特に分散剤）を低温で除去することが可能な微粒子分散体、及びその製造方法に関する。
【手続補正４】
【補正対象書類名】明細書
【補正対象項目名】０００９
【補正方法】変更
【補正の内容】
【０００９】
従って、本発明の課題とするところは、ブロックポリマーの溶媒交換時にポリマーが析出するのを抑制し、さらに、金属濃度が極めて低く、分散安定性に優れ、含有する有機物を低温で除去することが可能な微粒子分散体、及びその製造方法を提供することにある。
【手続補正５】
【補正対象書類名】明細書
【補正対象項目名】００１１
【補正方法】変更
【補正の内容】
【００１１】
すなわち、本発明によれば、以下に示す微粒子分散体及びその製造方法が提供される。
［１］非極性溶媒を含む有機溶媒と、前記有機溶媒中に分散された無機微粒子とを含有する微粒子分散体において、下記一般式（１）で表される疎水性ユニット、及び下記一般式（２）で表される側鎖にオキシアルキレンを有する親水性ユニットを含むブロックポリマーと、Ｃｏ、Ｎｉ、Ｃｕ、及びＺｎからなる群より選択される少なくとも一種の遷移金属とをさらに含有し、前記ブロックポリマーの質量を基準とする前記遷移金属の含有量が１０〜２００ｐｐｍであることを特徴とする微粒子分散体。
【手続補正６】
【補正対象書類名】明細書
【補正対象項目名】００１４
【補正方法】変更
【補正の内容】
【００１４】
［２］前記非極性溶媒が、ジエチレングリコールモノメチルエーテルアセテート、ジエチレングリコールモノエチルエーテルアセテート、ジエチレングリコールモノブチルエーテルアセテート、ジプロピレングリコールモノメチルエーテルアセテート、ジプロピレングリコールモノエチルエーテルアセテート、及びジプロピレングリコールモノブチルエーテルアセテートからなる群より選択される少なくとも一種である前記［１］に記載の微粒子分散体。
［３］前記無機微粒子が、酸化物または硫化物である前記［１］または［２］に記載の微粒子分散体。
［４］前記遷移金属がＣｕである前記［１］〜［３］のいずれかに記載の微粒子分散体。
［５］非極性溶媒を含む有機溶媒と、前記有機溶媒中に分散された無機微粒子とを含有する微粒子分散体の製造方法において、下記一般式（１）で表される疎水性ユニット、及び下記一般式（２）で表される側鎖にオキシアルキレンを有する親水性ユニットを含むブロックポリマーを良溶媒に溶かしてポリマー溶液を調製する工程（ａ）と、前記ポリマー溶液に前記非極性溶媒を加えた後、濃縮して前記良溶媒を除去することにより、前記ブロックポリマー、及び前記非極性溶媒を含有するポリマー分散液を調製する工程（ｂ）と、前記ポリマー分散液に前記無機微粒子を加えて撹拌する工程（ｃ）と、を含み、前記ポリマー溶液が、Ｃｏ、Ｎｉ、Ｃｕ、及びＺｎからなる群より選択される少なくとも一種の遷移金属を含有し、前記ブロックポリマーの質量を基準とする前記遷移金属の含有量が１０〜２００ｐｐｍであることを特徴とする微粒子分散体の製造方法。
2013203837.tif 000005
（前記一般式（１）中、Ｒ1は水素またはメチル基を示し、Ｒ2はｎ−ブチル基またはベンジル基を示し、ｌは疎水性ユニットの繰り返し単位数を示す）
2013203837.tif 000006
（前記一般式（２）中、Ｒ1は水素またはメチル基を示し、Ｒ3はメチル基またはエチル基を示し、ＥＯはオキシエチレンを示し、ｍは親水性ユニットの繰り返し単位数を示し、ｎは１または２である）
［６］前記非極性溶媒が、ジエチレングリコールモノメチルエーテルアセテート、ジエチレングリコールモノエチルエーテルアセテート、ジエチレングリコールモノブチルエーテルアセテート、ジプロピレングリコールモノメチルエーテルアセテート、ジプロピレングリコールモノエチルエーテルアセテート、及びジプロピレングリコールモノブチルエーテルアセテートからなる群より選択される少なくとも一種である前記［５］に記載の微粒子分散体の製造方法。
［７］前記良溶媒が、エーテル系溶媒、ケトン系溶媒、及びアミド系溶媒からなる群より選択される少なくとも一種である前記［５］または［６］に記載の微粒子分散体の製造方法。
［８］前記無機微粒子が、酸化物または硫化物である前記［５］〜［７］のいずれかに記載の微粒子分散体の製造方法。
［９］前記遷移金属がＣｕである前記［５］〜［８］のいずれかに記載の微粒子分散体の製造方法。